(57)【要約】      （修正有）【課題】導光板が発光部の発する光を看板アセンブリから外部に投射する際に、看板アセンブリの複数の画像層に立体的な奥行き感が生成され、人が視覚器官でより鮮明に感じることができる立体ライトボックスを提供する。【解決手段】導光板１１、および導光板の一側に設置された発光部１２を有する光源装置を含む立体ライトボックスであって、光源装置の導光板の表面に看板アセンブリ２が設置されており、看板アセンブリは、積層されるようにして導光板の表面に設置される複数のライトボックスシート２１（電飾看板シート）を有する。ライトボックスシートは、位置決め板２１１、および位置決め板の表面にコーティングされる画像層２１２からなり、位置決め板は透光材質で作製される。【選択図】図１
0003216299.tif 000002
【実用新案登録請求の範囲】
【請求項１】
導光板、および前記導光板の一側に設置された発光部を有する光源装置を含む立体ライトボックスにおいて、
該光源装置の前記導光板の表面に看板アセンブリが設置されており、
看板アセンブリは、積層されるようにして前記導光板の前記表面に設置される複数のライトボックスシートを有し、
前記ライトボックスシートは、位置決め板、および前記位置決め板の表面にコーティングされる画像層からなり、
前記位置決め板は、透光材質で作製され、
前記導光板が前記発光部の発する光を前記看板アセンブリから外部に投射する際に、前記看板アセンブリの複数の画像層に立体的な奥行き感が生成されることを特徴とする立体ライトボックス。
【請求項２】
前記光源装置と前記看板アセンブリの周縁に、前記光源装置と前記看板アセンブリの位置決めのためのフレームが設置されていることを特徴とする請求項１に記載の立体ライトボックス。
【請求項３】
前記看板アセンブリの２つの隣り合うライトボックスシートとの間にクッションパッドが設置されており、
前記クッションパッドは、透光材質で作製されることを特徴とする請求項１に記載の立体ライトボックス。
【請求項４】
前記看板アセンブリの２つの隣り合うライトボックスシートの間にクッションブロックが設置されており、
前記クッションブロックは、透光材質で作製されることを特徴とする請求項１に記載の立体ライトボックス。
【請求項５】
前記光源装置と前記看板アセンブリの周縁にフレームが設置されており、
前記フレームの内側縁に複数の位置決め溝が間隔をおいて設置されており、
前記光源装置と前記看板アセンブリの各ライトボックスシートの周縁は、前記位置決め溝内にそれぞれ位置決めされることを特徴とする請求項１に記載の立体ライトボックス。
【考案の詳細な説明】
【技術分野】
【０００１】
本考案は、立体ライトボックスに関する。
【背景技術】
【０００２】
現在、一般的な広告用ライトボックスは主に、筺体、筺体内に設置される発光装置および広告パネルからなり、発光素子の光によって広告パネルを照明することで、広告内容を目立たせて人々の注目を集め、ビジネスと顧客を引き寄せる効果を達成する。しかし、従来の広告用ライトボックスは、単一の広告パネルのみを有し、かつその広告内容およびパターンは、異なるパターンの貼紙が広告パネルに貼り付けられるかプリントされて、異なる様式を有するデザインを呈する。このように構成される装飾パターンの多くは、平面的なイメージテキストであり、立体的な変化がないので、視覚器官が味気なく感じてしまいやすい。さらに、広告用ライトボックスが１つの広告パネルのみを有することによって、広告用ライトボックスの使用時に異なる角度で視覚的差異を生じさせることができず、効果が比較的単調になる。
【考案の概要】
【考案が解決しようとする課題】
【０００３】
そのため、上記の従来の問題点および短所を如何に解決するかが、関連業者の切実な研究課題である。
【課題を解決するための手段】
【０００４】
本考案は、従来技術の上記の短所を解決するために、立体ライトボックスを提示する。特に、積層されるようにして設置された複数の透光ライトボックスシートの表面に画像層がコーティングされ、２つの隣り合うライトボックスシートの表面の画像層に前後間隔を形成させ、複数の画像層に立体的な奥行き感が生成されるようにする。
【０００５】
上記の技術課題を解決するために、本考案は以下の技術態様を採用する。
導光板、および導光板の一側に設置された発光部を有する光源装置を含み、該光源装置の導光板の表面に看板アセンブリが設置されており、看板アセンブリは、積層されるようにして導光板の表面に設置される複数のライトボックスシートを有し、ライトボックスシートは、位置決め板、および位置決め板の表面にコーティングされる画像層からなり、かつ位置決め板は透光材質で作製され、前記導光板が発光部の発する光を看板アセンブリから外部に投射する際に、看板アセンブリの複数の画像層に立体的な奥行き感が生成される立体ライトボックスである。
【０００６】
好ましくは、前記光源装置と看板アセンブリの周縁に、光源装置と看板アセンブリの位置決めのためのフレームが設置されている。
【０００７】
好ましくは、前記看板アセンブリの２つの隣り合うライトボックスシートとの間にクッションパッドが設置されており、クッションパッドは透光材質で作製される。
【０００８】
好ましくは、前記看板アセンブリの２つの隣り合うライトボックスシートの間にクッションブロックが設置されており、クッションブロックは透光材質で作製される。
【０００９】
好ましくは、前記光源装置と看板アセンブリの周縁にフレームが設置されており、フレームの内側縁に複数の位置決め溝が間隔をおいて設置されており、光源装置と看板アセンブリの各ライトボックスシートの周縁は、位置決め溝内にそれぞれ位置決めされる。
【考案の効果】
【００１０】
従来技術に比べ、本考案の立体ライトボックスには、導光板、および導光板の一側の発光部を有する光源装置が設置されており、光源装置の導光板の表面に看板アセンブリが設置されている。看板アセンブリは、積層されるようにして導光板の表面に設置される複数のライトボックスシートを有する。ライトボックスシートは、位置決め板、および位置決め板の表面にコーティングされる画像層からなり、かつ位置決め板は透光材質で作製される。導光板が発光部の発する光を看板アセンブリから外部に投射する際に、看板アセンブリの複数の画像層に立体的な奥行き感が生成される。本考案は、人が視覚器官でより鮮明に感じることができるようにする。また、広告用ライトボックスが１つの広告パネルのみを有することにより、広告用ライトボックスの使用時に、異なる角度で視覚的差異を生じさせることができず、かつ効果が比較的単調になる問題の発生を解決する。
【図面の簡単な説明】
【００１１】
【図１】図１は、本考案の第一実施例の斜視部分断面図である。
【図２】図２は、本考案の第一実施例の斜視分解図である。
【図３】図３は、本考案の第二実施例の斜視分解図である。
【図４】図４は、本考案の第三実施例の斜視分解図である。
【図５】図５は、本考案の第四実施例の斜視部分断面図である。
【図６】図６は、本考案の第四実施例の斜視分解図である。
【考案を実施するための形態】
【００１２】
以下に、図面および実施例を組み合わせながら、考案について詳しく説明する。
【００１３】
図１および図２を参照すると、図面から明確に分かるように、本考案の立体ライトボックス（立体電飾看板）には、光源装置１、看板アセンブリ２、およびフレーム３が設置されている。ここで、該光源装置１は、導光板１１、および導光板１１の一側に発光部１２を有し、発光部１２の発する光が導光板１１に入射された後、光は導光板１１の表面から投射される。
【００１４】
該看板アセンブリ２は、複数のライトボックスシート（電飾看板シート）２１を有する。ライトボックスシート２１は、位置決め板２１１、および位置決め板２１１の表面にコーティングされる画像層２１２からなり、かつ位置決め板２１１は透光材質で作製される。複数のライトボックスシート２１は、積層されるようにして光源装置１の導光板１１の表面に設置される。
【００１５】
該フレーム３の内側に位置決め溝３１が凹設されており、光源装置１と看板アセンブリ２の周縁は、位置決め溝３１内に位置決めされる。
【００１６】
そのため、本創作の立体ライトボックスの使用時に、該光源装置１の発する光は、看板アセンブリ２を介して外部に投射される。看板アセンブリ２の複数の画像層２１２が、位置決め板２１１の作用により前後間隔形状を形成することで、奥行き感および立体感のある視覚効果を表現することができ、かつ異なる視角で異なる視覚効果を生成することもできる。
【００１７】
図３および図４を参照すると、図３から明確に分かるように、該看板アセンブリ２の２つの隣り合うライトボックスシート２１の間にクッションパッド２２が設置されている。クッションパッド２２が透光材質で作製されることにより、２つの隣り合うライトボックスシート２１の画像層２１２の間隔距離を増加させて、立体的な奥行き感をさらに向上させることができる。図４を参照すると、図面から明確に分かるように、図４の実施例が図３の実施例と異なる点は、２つの隣り合うライトボックスシート２１の間にクッションブロック２３が設置されており、クッションブロック２３は透光材質で作製され、クッションブロック２３は粘着または挟持されるようにして２つのライトボックスシート２１の間に位置決め可能であるという点である。同様に、２つの隣り合う画像層２１２の間隔距離を増加させて、立体的な奥行き感を向上させることができ、かつ該クッションブロック２３は、実際の使用に応じて１つ以上設置することができる。例えば、文字形状等の様々な形状を有する。
【００１８】
図５および図６を参照すると、図面から明確に分かるように、該フレーム５の内側縁に複数の位置決め溝５１が間隔をおいて設置されている。光源装置１と看板アセンブリ４の各ライトボックスシート４１の周縁は、それぞれ位置決め溝５１内に位置決めされる。これによって位置決め溝５１は、２つの隣り合うライトボックスシート４１に間隔形状を形成させ、２つの隣り合う画像層４１２の間隔距離を増加させて、立体的な奥行き感を向上させる。さらに、図面から分かるように、各位置決め板４１１の画像層４１２は、それぞれ時計盤、時計針、および時計ケースである。積層されたライトボックスシート４１を異なる画像層４１２により腕時計に組み合わせて、看板アセンブリ４を見る際に、立体感のある腕時計が生成されるようにして、広告効果を向上させる。
【００１９】
上記の実施例は、単に本考案の幾つかの実施態様を示すものであり、比較的具体的かつ詳細に説明したが、本考案の保護範囲がこれにより限定されると理解されてはならない。指摘すべきこととして、本分野の当業者であれば、本考案の構想を逸脱しない前提で、若干の変形および改良も可能であり、これらはいずれも本考案の保護範囲に属する。したがって、本考案の保護範囲は、実用新案登録請求の範囲に基づくべきである。
【符号の説明】
【００２０】
１  光源装置
１１  導光板
１２  発光部
２  看板アセンブリ
２１  ライトボックスシート（電飾看板シート）
２１１  位置決め板
２１２  画像層
２２  クッションパッド
２３  クッションブロック
３  フレーム
３１  位置決め溝
４  看板アセンブリ
４１  ライトボックスシート（電飾看板シート）
４１１  位置決め板
４１２  画像層
５  フレーム
５１  位置決め溝
【図１】
0003216299.tif 000003
【図２】
0003216299.tif 000004
【図３】
0003216299.tif 000005
【図４】
0003216299.tif 000006
【図５】
0003216299.tif 000007
【図６】
0003216299.tif 000008